(57)【要約】      （修正有）【課題】モーターと複数の回転部材とを平行に配設することにより、一つのモーターで回転する複数の回転部材を配設し、携帯にも、置物にも使用可能であり、かつ電波の受信を複数個の回転部材の複雑な動き、光、音により表示する着信表示装置を提供する。【解決手段】電源２９、該電源２９により駆動するモーター２８、該モーター２８と平行に配設され、該モーター２８で回転する複数の回転部材２１、該回転部材２１と該モーター２８とを連結する連結部材２２、２３、２４、２５及び前記各部材を収納する本体ケース２０と、電波を受信する受信部材６、受信電波により発光する発光部材２、３、４、該受信部材６、該発光部材２、３、４等を配設する基盤５及び前記各部材を収納し、前記本体ケース２０を塞ぐ本体ケース蓋１からなる着信表示装置である。【選択図】  図２
2007028558.tif 000002
【特許請求の範囲】
【請求項１】
次の本体ケース１）及び本体ケース蓋２）
１）電源、該電源により駆動するモーター、一のモーターで回転する複数の回転部材、該    回転部材と該モーターとを連結する連結部材及び前記各部材を収納する本体ケース
２）電波を受信する受信部材、受信電波により発光する発光部材、該受信部材、該発光部    材等を配設する基盤及び前記各部材を収納し、該本体ケースを塞ぐ本体ケース蓋
からなる着信表示装置。
【請求項２】
本体ケースに、受信電波により音を発する発信部材を配設した請求項１に記載の着信表示装置。
【請求項３】
発信部材が、スピーカーである請求項２に記載の着信表示装置。
【請求項４】
受信部材としてアンテナが併設されている請求項１乃至請求項３に記載の着信表示装置。
【請求項５】
発光部材が、色彩の異なる光を発光する複数個からなる請求項１乃至請求項４に記載の着信表示装置。
【請求項６】
回転部材が、用途により各種形状を有し、文字、模様、色彩又はこれらの組合わせからなる装飾を施されたものである請求項１乃至請求項５に記載の着信表示装置。
【請求項７】
着信表示装置が、携帯電話のストラップ又は置物として使用される請求項１乃至請求項６に記載の着信表示装置。
【発明の詳細な説明】
【技術分野】
【０００１】  本発明は、電源、該電源により駆動するモーター、一のモーターで回転する複数の回転部材、該回転部材と該モーターとを連結する連結部材及び前記各部材を収納する本体ケース、並びに電波を受信する受信部材、受信電波により発光する発光部材、該受信部材、該発光部材等を配設する基盤及び前記各部材を収納し、該本体ケースを塞ぐ本体ケース蓋からなる着信表示装置に関する。
【背景技術】
【０００２】  従来、広告等のディスプレーとして、広告を施した部材を回転させることが実施されている。例えば、円筒体を回転自在に配設し、この回転体をモーターにより回転させ、円筒体の表面に描かれた、図形、模様等が回転方向に沿って順次表示される方式が知られている（以下「従来技術１」と記載する。）。本発明者らは、この従来技術１の不都合を解決するために、太陽電池を利用した装置を開発し、既に特許出願した（特許文献１を参照。以下「先願１」と記載する。）。【０００３】  一方、携帯電話の普及により、携帯電話機に内蔵されている機器からの音、振動等による着信表示以外の方法により着信を表示するものが種々開発されている。例えば、携帯電話用ストラップとして小形の人形を配設し、その人形が着信を語り掛ける装置（特許文献２を参照。）、その人形が着信を告げる動きをする装置（特許文献３を参照。）等が知られている（以下「従来技術２」と記載する。）。【０００４】  また、携帯電話機を首から吊り下げるループ状の紐体に発光ダイオード等を配設したストラップ（特許文献４、特許文献５及び特許文献６を参照。）、イヤホン付きのポータブルラジオ、ＣＤプレーヤー、ＭＤプレーヤー、携帯電話機等を首から吊り下げるループ状の紐体を中空状に成形し、その中空内部にイヤホン、携帯機器への接続プラグを取り付けたコードを内蔵したネック・ストラップ（特許文献７を参照。）等が知られている（以下「従来技術３」と記載する。）。【０００５】  本発明者らは、先に携帯電話用着信装置に関する特許を取得した（特許文献８を参照。以下「本発明者らの特許」と記載する。）。この本特許は、電力を供給する電池、電波を受信する受信部材、該電池により駆動するモーター、該モーターに連結部材を介して連結された回転部材、発光部材、並びに該電池、該モーター及び前記各部材を収納するケースからなる携帯電話用着信表示装置である。【０００６】  また、パチンコ店に設置されているスロット・マシン（俗称パチスロ機）では回転する部材が複数存在することが公知である（以下「従来技術４」と記載する。）。
【特許文献１】  特願２００１−２４０７４４号
【特許文献２】  特開２０００−２３６３７０号公報
【特許文献３】  特開２０００−２３６３７１号公報
【特許文献４】  特開２０００−１３４２９４号公報
【特許文献５】  特開２００１−２５１４０７号公報
【特許文献６】  特開２００１−２３１６２４号公報
【特許文献７】  特開２００１−１３７０３５号公報
【特許文献８】  特許第３５００６１３号公報
【発明の開示】
【発明が解決しようとする課題】
【０００７】  前記従来技術１は、電源として商用電流を使用するが、テーブル上に載置する小形のものでは電源の引き込みが不便であり、電池を使用するものが多い。しかし、電池を使用した場合は電池切れにより放置され、回転することがなくなり、広告効果が半減する不都合があった。この不都合を解決した先願１は店頭、自動販売機等に据え付けて広告として使用する大型の装置であり、携帯電話、置物等の電波の着信及び携帯は不可能であった。【０００８】  前記従来技術２は、人形が語り掛けるか又は動くか、いずれかの手段を採用している点に特徴があるが、人形という複雑な形態をしているので、衣装のポケット、バッグ等への収納及びそれらからの取出しには不便であるという欠点があり、前記従来技術３は、発光により種々の機能を表示する特徴があるが、単なる光による表示であり、単調であって面白さが欠如する欠点があった。【０００９】  前記本発明者らの特許は、前記各従来技術にはない優れた特徴を有していたが、回転部材が一個のため面白さに欠ける点があり、前記従来技術４では複数個の回転する部材が別々のモーターにより回転するため、モーターを駆動する電力及びモーターを配設するスペースを多く必要とするので、携帯電話の着信表示には不適当であった。【００１０】  本発明らは、前記従来技術を改善するために鋭意研究を行った結果、モーターと複数の回転部材とを平行に配設することにより、一つのモーターで回転する複数の回転部材を配設し、前記従来技術の欠点を改良した着信表示装置を開発し、本発明を完成した。【００１１】  本発明の目的は、携帯にも、置物にも使用可能であり、かつ電波の受信を複数個の回転部材の複雑な動き、光、音により表示する装置を提供することである。
【課題を解決するための手段】
【００１２】  前記課題を解決する本発明は、次の本体ケース１）及び本体ケース蓋２）
１）電源、該電源により駆動するモーター、一のモーターで回転する複数の回転部材、該    回転部材と該モーターとを連結する連結部材及び前記各部材を収納する本体ケース
２）電波を受信する受信部材、受信電波により発光する発光部材、該受信部材、該発光部    材等を配設する基盤及び前記各部材を収納し、該本体ケースを塞ぐ本体ケース蓋
からなる着信表示装置である。【００１３】  また、本発明は、本体ケースに、受信電波により音を発する発信部材を配設したこと、発信部材が、スピーカーであること、受信部材としてアンテナが併設されていること、発光部材が、色彩の異なる光を発光する複数個からなること、回転部材が、用途により各種形状を有し、文字、模様、色彩又はこれらの組合わせからなること及び着信表示装置が、携帯電話のストラップ又は置物として使用されることを望ましい態様としている。【００１４】  次に本発明について、一態様である携帯電話用ストラップとして使用する例を示す図面に基づいて詳細に説明する。尚、本発明の着信表示装置に使用する各種部材は、いずれも市販品である。【００１５】  図１は、本発明の一実施態様を示す外観斜視図であり、パチスロをイメージした携帯電話用ストラップとして使用する着信表示装置である。図２は本体ケースから本体ケース蓋を取外した各ケースの平面図であり、受信電波により音を発する発信部材を配設していない例である。図中１は本体ケース蓋であり、２、３、４は発光部材（これらの発光部材は基盤の裏面に配設されているので、点線で表示している。）、５は基盤、６はアンテナ（この部材は基盤の裏面に配設されているので、点線で表示している。）、７は本体ケース２０に配設した回転リール２１及び発光部材が見えるように透明な樹脂を固定した窓、８、９、１０、１１は本体ケースと本体ケース蓋とを係止するための捩子止穴、１２は配線を示す。本体ケース蓋にはこれらの部材が配設され、本体ケースの電源と配線１２により接続されている。【００１６】  また、２１は回転部材（回転リール）、２２、２３、２４、２５はギア、２６は回転軸、２７はモーター軸、２８はモーター、２９は電源、３０は電源交換用蓋、３１は配線、３２、３３、３４、３５は本体ケースと本体ケース蓋とを係止するための捩子止穴を示す。本体ケースにはこれらの部材が配設され、本体ケース蓋に配設された部材と電源とを配線１２、３１により接続されている。尚、図２においては、詳細な配線を省略している。【００１７】  図１の外観斜視図に示すとおり、本体ケース蓋には種々のデザインが施され、本体ケース蓋の一部が切除され、本体ケース内に配設された複数の回転部材が外部から見えるように設定され、本体ケース蓋の表面には各種広告、模様、商標、社名等を描くことも可能である。また、図１の例では、表面から見えないよう本体ケースの裏面から本体ケース蓋が捩子止めされているが、本体ケース蓋と本体ケースとを嵌合させることも可能である。【００１８】  本発明の本体ケース２０及び本体ケース蓋１は、内部に収納する各部材を収納できる大きさで、合成樹脂、強化ガラス等で常法により成形され、形状は、円筒形、直方形等は任意に設定可能である。また、本体ケース及び本体ケース蓋内に配設された各部材が外から見えないように不透明な材質を使用するのが望ましい。本体ケース内には、図２に示すとおりモーター２８と複数の回転部材２１とが平行に配設され、回転部材がモーター軸２７に配設されたギア２２、２３、２４、２５及び回転軸２６により、それぞれ別個に回転するよう設定されている。この例は、携帯電話のストラップであるから、本体ケースが小さいため、モーターと複数の回転部材とが平行に配設されているが、本体ケースが大きい場合には、モーター回転軸に直接複数の回転部材を配設することも可能である。尚、この例では回転部材としてギアを使用しているが、ベルト等も使用可能である。【００１９】  回転部材２１は、金属、合成樹脂、厚紙、ガラス、陶器等種々の材質のものであり、図２では円盤状の三個の回転部材を配設している。この回転部材は用途により文字、模様、色彩又はこれらの組合わせからなっている。用途とは、広告、趣味等本発明の着信表示装置を使用する者の種々の目的を意味している。例えば、広告の場合は商品の形状、会社の商標等であり、趣味の場合は使用者が自ら制作した陶器、キャラクター等である。回転部材は平板とは限らず、種々の立体的形状に作成することも可能である。【００２０】  本体ケース２０には、図２に示すとおり電源として使用する電池交換のための電池交換用蓋３０を設置する。本体ケースに収納される電源２９は、如何なる電池であってもよく、着信表示装置全体の大きさにより適宜使用することができる。例えば、着信表示装置が小さい場合は、腕時計等に使用する小形の乾電池等が望ましい。また、電源として太陽電池を配設して電力を得ることも可能であり、この場合は本体ケース２０の太陽電池を配設した部分を透明な材質にする必要がある。これらのいずれの例においても、本体ケース２０に内蔵されたモーター２８を駆動させるのに十分な電力、発光部材２、３、４を発光させるのに十分な電力、発信部材から音を発するのに十分な電力を供給できることが必須である。尚、電源からモーター、発光部材、発信部材に電力を供給するための配線を施すことは当然のことである。【００２１】  本体ケース２０に収納される電池により駆動するモーター２８は、ケースに内蔵し得る小形のモーターであり、ケースの大きさにより適宜採用することができる。このモーターは電波を受信すると同時に電池から供給される電力により起動し、モーターの回転軸２７に配設された連結部材（例えばギアー）２２、２３、２４、２５及び回転軸２６を介して複数個の回転部材２１を回転させる。この回転部材の回転により、回転部材に表示されている文字、模様、色彩又はこれらの組合わせ等が回転を開始し、従来の着信表示にはなかった面白さを発揮することができる。この複数個の回転部材は、重量の変更、回転軸に接する部分に凹凸を設ける等の手段により別個の速度で回転させることも可能である。【００２２】  本体ケース蓋１に収納される複数個の発光部材２、３、４は、例えば市販の発光ダイオード等の電流により発光する物体であり、種々の形状、色彩、大きさで、複数個配設することが可能であり、着信の表示の他に装飾としても利用できる。この発光部材は、基盤５に適宜配設され、着信により点灯する。この発光部材は、着信により点灯したままでも良く、間欠的に点灯しても良く、例えば赤、緑及び黄の三色を循環的に点灯することも可能である。発光部材からの光は、本体ケース蓋１の透明な樹脂を固定した窓７から見ることができる。【００２３】  本体ケース蓋１に収納される基盤４は、受信部材として付設されたアンテナ、集積回路、発光��材を固定する機能、発光部材及び又は着信により音を発する部材に電力を供給する配線を固定する機能を有している。この基盤は、ケースとは別に製造し、ケースの内壁に固定する。【００２４】  本体ケース蓋１に収納される電波を受信する受信部材は、基盤に配設された集積回路そのものでも良く、受信周波数を特定するために、更に通常のアンテナ及び抵抗を付設することも可能である。アンテナを付設する場合、銅線等の針金状の部材であるが、種々の形状に設定することができる。【００２５】  本発明の着信表示装置においては、受信を知らせるために音を発する発信部材、例えばスピーカー、を併設することも可能である。これらの部材は、前記発光部材と伴に配設することも可能であり、単独で配設することも可能であるが、望ましくは発光部材と伴に配設する。この部材は、例えば、置物として使用する場合は携帯電話から離れた場所でも音により着信を感知することができるので便利である。尚、置物として使用する場合、市販のスイッチ［例えば、ティー・メック（Ｔ−Ｍｅｋ）社製。型式ＳＳＯ５１−Ｐ０１２＿Ａ］を併設し、着信がないときでも電源を入れて回転部材を回転させ、玩具のように使用することも可能である。【００２６】  以上のとおり構成された本発明の着信表示装置は、受信部材が電磁波を感知した場合、感知信号を発生し、この感知信号を受けてモーターが回転して回転部材を回転させるとともに、発光部材の点灯及び又は音の発信により着信を表示する。尚、当然のことながら、電話を発信する場合もその電波を受信して発光、音を発する。【００２７】  本発明の着信表示装置は、例えば、携帯電話のストラップとして携帯電話に直接装着することも可能であり、携帯電話とは別に紐等で首に牽引し、着信を表示させることも可能である。後者の場合、回転部材に広告を施すことにより、いずれの場所においても着信と同時に回転部材が回転し、発光部材が点滅するので、動く広告塔としての役割も果たすことができる。また、鞄、バッグ等の外部に装飾として取り付けることも可能である。【００２８】  また、着信により音を発する部材を併設した本発明の着信表示装置は、例えば、家庭において水仕事等のため携帯電話を携帯できない場合、着信音で着信を知らせる利点もあり、置物としての室内の装飾品としての効果も有している。
【発明の効果】
【００２９】  本発明は、次の本体ケース１）及び本体ケース蓋２）
１）電源、該電源により駆動するモーター、該モーターと平行に配設され、一のモーター    で回転する複数の回転部材、該回転部材と該モーターとを連結する連結部材及び又は    受信電波により音を発する発信部材、並びに前記各部材を収納する本体ケース
２）電波を受信する受信部材、受信電波により発光する発光部材、該受信部材、該発光部    材等を配設する基盤及び前記各部材を収納し、該本体ケースを塞ぐ本体ケース蓋
からなる着信表示装置であり、本発明により奏される効果は次のとおりである。【００３０】１）携帯にも、収納にも便利であり、複数の回転部材の複雑な動き及び種々の色彩照射光    により着信を表示する面白さを有する着信表示装置である。
２）携帯電話に直接装着せずに、光により着信表示が可能であり、広告、アクセサリー等    としての利用も可能である。
３）携帯電話に直接装着せずに、置物として音により着信を表示できるので、室内装飾品    としても使用可能である。
【発明を実施するための最良の形態】
【００３１】  次に実施例を示して本発明を更に詳細に説明するが、本発明は以下の実施例に限定されるものではない。
【実施例】
【００３２】  図３に平面図を示す置物として使用する着信表示装置を製造した。この着信表示装置は、アンテナ等の受信部材を増設せず、着信音を発する例である。本体ケース２０は、上端から下端までは約５ｃｍ、幅約３．５ｃｍ、厚さ約２ｃｍであり、不透明なアクリロニトリル・ブタジエン・スチレン（ＡＢＳ）樹脂を常法により成形したものである。また、本体ケース蓋１は、上端から下端までは約５ｃｍ、幅約３．５ｃｍ、厚さ約０．５ｃｍであり、不透明なアクリロニトリル・ブタジエン・スチレン（ＡＢＳ）樹脂を常法により成形したものであり、窓７は透明なアクリロニトリル・ブタジエン・スチレン（ＡＢＳ）樹脂を固定している。【００３３】  本体ケース蓋１には窓７、捩子止穴８、９、１０、１１及び基盤５が設けられている。窓７は、本体ケース内に配設された複数の回転部材（回転リール２１）が見えるように本体ケース蓋表面の一部に透明な樹脂を固定したものである。基盤５には集積回路（図示せず）及び発光部材２、３、４［ハーバテック（Ｈａｒｖａｔｅｋ）社製。型式ＨＴ１９０ｒｅｄ、ＨＴ１９０ｇｒｅｅｎ、ＨＴ１９０ｙｅｌｌｏｗの赤、緑、黄の３色］が固定されており、更に本体ケース２０に配設されたモーター２８、電源２９及びスピーカー３６との配線１２、３１、３７が固定され、本体ケース蓋１に固定されている。【００３４】  本体ケース２０内には、電源２９としてリチウム電池［ゴールデン・パワー（Ｇｏｌｄｅｎ  Ｐｏｗｅｒ）社製。型式ＬＲ４４−３５７Ａ］、モーター２８［キューエックス・モーター（ＱＸ  Ｍｏｔｏｒ）社製。ＱＸ６Ｃ−Ｎｏ９００５５ＤＣ３Ｖ］及びスピーカー３６（仁泰電子有限公司製。型式ＲＴ１０Ｂ５−２５Ｂ６４−Ｆ）が固定されている。また、本体ケース２０には、電源２９交換用の蓋３０及び捩子止穴３２、３３、３４、３５が設けられている。【００３５】  本体ケース蓋１は、本体ケース２０の裏面から４ケ所捩子止めされ、本体ケースに固定されている。以上のとおり構成された着信表示装置は、置物として室内に設置され、付近に携帯電話を置くことにより、着信を光と音で表示することができるので、携帯電話から離れた場所でも着信を感知することができる。
【図面の簡単な説明】
【００３６】
【図１】  図１は、本発明の一実施態様を示す外観斜視図である。
【図２】  図２は、本発明の一実施態様を示す平面図である。
【図３】  図３は、本発明の他の実施態様を示す平面図である。
【符号の説明】
【００３７】  １  本体ケース蓋
２  発光部材
３  発光部材
４  発光部材
５  基盤
６  アンテナ
７  窓
８  捩子止穴
９  捩子止穴
１０  捩子止穴
１１  捩子止穴
１２  配線
２０  本体ケース
２１  回転リール
２２  ギア
２３  ギア
２４  ギア
２５  ギア
２６  回転軸
２７  モーター軸
２８  モーター
２９  電源
３０  電源交換用蓋
３１  配線
３２  捩子止穴
３３  捩子止穴
３４  捩子止穴
３５  捩子止穴
３６  スピーカー
３７  配線
【図１】
2007028558.tif 000003
【図２】
2007028558.tif 000004
【図３】
2007028558.tif 000005